(57)【要約】【課題】特殊な部材を設けることなく、振動するハードディスクを安定して接地することができるとともに、別の部材にハードディスクの振動が伝播するのを抑制することができるハードディスクの固定構造を提供する。【解決手段】ハードディスクドライブ１１の底面に固定される第１支持部材１２と、第１支持部材１２を支持し、リヤパネル２と接触するように、シャーシＣｈに固定される第２支持部材１３と、ハードディスクドライブ１１の振動が他所に伝播するのを防ぐための防振クッション１４とが備えられている。リヤパネル２には切り起こすことで形成されたフック部２１が第１支持部材１２の貫通孔１２２と重なるように配置されている。【選択図】図３
2008152895.tif 000002
【特許請求の範囲】
【請求項１】
シャーシと、
前記シャーシの背面側に立設された金属板を切り曲げて形成されたリヤパネルと、
前記シャーシを覆うカバー部材と、
前記シャーシに取り付けられるハードディスクユニットと、
前記シャーシに取り付けられＤＶＤメディアの記録及び再生を行うＤＶＤレコーダユニットとを有するハードディスク内蔵ＤＶＤレコーダであって、
前記ハードディスクユニットは、ハードディスクドライブと、前記ハードディスクドライブの底面にボルトにて固定される第１支持部材と、前記シャーシに取り付けられ前記第１支持部材を支持する第２支持部材と、前記第１支持部材と前記第２支持部材とを連結するボルトが貫通しているとともに、前記第１支持部材から前記第２支持部材への振動の伝達を抑制する防振クッションとを有しており、
前記防振クッションは樽型の第１防振部材と、前記第１防振部材と同一形状を有しているとともに、前記第１防振部材と軸方向に並んで連結する第２防振部材とを有しており、前記第１防振部材は前記ボルトの頭と前記第１支持部材の間に、前記第２防振部材は前記第１支持部材と前記第２支持部材との間に配置されており、
前記リヤパネルには、該リヤパネルの一部を切り起こすことで形成されたフック部が形成されており、
前記フック部は前記第１防振部材と前記第１支持部材の間に配置されることを特徴とするハードディスク内蔵ＤＶＤレコーダ。
【請求項２】
シャーシ及び前記シャーシの背面側に立設された金属製のリヤパネルにハードディスクユニットを固定するハードディスクユニットの固定構造であって、
前記ハードディスクユニットは、ハードディスクドライブと、前記ハードディスクドライブの底面にボルトにて固定される第１支持部材と、前記シャーシに取り付けられ前記第１支持部材を支持する第２支持部材と、前記第１支持部材と前記第２支持部材とを連結するボルトが貫通しているとともに、前記第１支持部材から前記第２支持部材への振動の伝達を抑制する防振クッションとを有しており、
前記防振クッションは第１防振部材と、前記第１防振部材と軸方向に並んで連結する第２防振部材とを有しており、前記第１防振部材は前記ボルトの頭と前記第１支持部材の間に、前記第２防振部材は前記第１支持部材と前記第２支持部材との間に配置されており、
前記リヤパネルには、該リヤパネルに連結されたフック部が形成されており、
前記フック部は前記第１防振部材と前記第１支持部材の間に配置されることを特徴とするハードディスクユニットの固定構造。
【請求項３】
前記リヤパネルのフック部は前記リヤパネルと一体に形成されていることを特徴とする請求項２に記載のハードディスクユニットの固定構造。
【請求項４】
前記防振クッションの前記第１防振部材はたる型を有しており、前記第２防振部材も前記第１防振部材同様たる型を有していることを特徴とする請求項２又は請求項３に記載のハードディスクユニットの固定構造。
【請求項５】
前記防振クッションの前記第１防振部材及び前記第２防振部材は形状及び大きさが等しいものであることを特徴とする請求項２から請求項４のいずれかに記載のハードディスクユニットの固定構造。
【発明の詳細な説明】
【技術分野】
【０００１】
本発明は、ハードディスクドライブを内蔵したＤＶＤレコーダに関するものであり、さらに詳しくは、ハードディスクドライブを含むハードディスクユニットを取り付けるための取付構造に関するものである。
【背景技術】
【０００２】
現在、音響機器、映像機器等の電子機器の多くでは記録メディアとして光ディスクメディアやテープメディアが採用されている。前記電子機器では記憶容量の大きなハードディスクドライブが備えられており、記録メディアへの記録を行う前の一時記憶装置として用いられている。
【０００３】
前記ハードディスクドライブは金属製のディスクが複数枚内蔵されており、高速で回転するものである。前記ハードディスクドライブには、回転駆動のためのモータを備えられており、前記モータは高速回転している。前記金属製のディスクの回転と前記モータの回転とによって、前記ハードディスクドライブは少なからず振動している。
【０００４】
図４に従来の光ディスク装置に備えられているハードディスクの取り付け構造の斜視図を示す。図４に示すように、ハードディスクドライブ９１の下面に支持プレート９２がボルト止めにて取り付けられている。図示を省略した光ディスク装置のシャーシに固定される脚部９３１を備えた支持台部材９３を備えており、支持プレート９２及び支持台部材９３とはボルトにて接続されるものであり、支持プレート９２と支持台部材９３との間に防振ゴム９４が配置されており、ハードディスクドライブ９１の振動が支持台部材９３に伝わるのを防止している。
【０００５】
また、支持台部材９３には一部が弾性変形可能に形成されているアースプレート９５が取り付けられている。支持台部材９３は筐体に当接することで接地されており、ハードディスクドライブ９１が振動してもアースプレート９５の弾性変形部が常に支持プレート９２と接触し、接地される。
【０００６】
しかしながら、ハードディスクドライブ９１は重量が大きく、ハードディスクドライブ９１と弾性力で当接しているアースプレート９５が破損する不具合が発生する場合があった。
【０００７】
そこで、実用新案登録第３０８９６１３号公報に記載の考案では、天板における基板のアース用パターン部と対向する箇所に、前記アース用パターンと接触するように下向きに凹んだ凹段部を形成するものが示されている。
【０００８】
また、特開２００２−２２３０８４号公報に記載の発明では、基板を貫通してアースパターン面の側で前記アースパターンにはんだ付けされるとともに部品載置面の側に引き出された複数のジャンパ線を基板に設け、鉄板シャーシに基板側に向けて所定高さ分だけ押し出し屈曲されるとともにジャンパ線に当接する凸部を形成したものが示されている。
【０００９】
【特許文献１】実用新案登録第３０８９６１３号公報
【特許文献２】特開２００２−２２３０８４号公報
【発明の開示】
【発明が解決しようとする課題】
【００１０】
しかしながら、実用新案登録第３０８９６１３号公報に記載の発明では、接地されるものがハードディスクのように振動するものの場合、その振動によって接地状態が不安定になる場合があると考えられる。
【００１１】
また、特開２００２−２２３０８４号公報に記載の発明でも同様に、振動が発生するものを接地する場合に、その振動によって接地状態が不安定になる場合があると考えられる。
【００１２】
そこで本発明は、特殊な部材を設けることなく、振動するハードディスクを安定して接地することができるとともに、別の部材にハードディスクの振動が伝播するのを抑制することができるハードディスクの固定構造を提供することを目的とする。
【課題を解決するための手段】
【００１３】
上記目的を達成するために本発明は、シャーシ及び前記シャーシの背面側に立設された金属製のリヤパネルにハードディスクユニットを固定するハードディスクユニットの固定構造であって、前記ハードディスクユニットは、ハードディスクドライブと、前記ハードディスクドライブの底面にボルトにて固定される第１支持部材と、前記シャーシに取り付けられ前記第１支持部材を支持する第２支持部材と、前記第１支持部材と前記第２支持部材とを連結するボルトが貫通しているとともに、前記第１支持部材から前記第２支持部材への振動の伝達を抑制する防振クッションとを有しており、前記防振クッションは第１防振部材と、前記第１防振部材と軸方向に並んで連結する第２防振部材とを有しており、前記第１防振部材は前記ボルトの頭と前記第１支持部材の間に、前記第２防振部材は前記第１支持部材と前記第２支持部材との間に配置されており、前記リヤパネルには、該リヤパネルに連結されたフック部が形成されており、前記フック部は前記第１防振部材と前記第１支持部材の間に配置されることを特徴とする。
【００１４】
この構成によると、アース部材（アースプレート）を用いることなく、ハードディスクドライブを安定して接地させることができるとともに、前記ハードディスクドライブの振動が前記第２支持部材を含む他所に伝播するのを防ぐことができる。
【００１５】
これによると、他の部分に比べて破損しやすいアース部材を取り付けなくても安定動作させることができるので、ハードディスクの取付にかかる手間と時間を削減することができる。また、このことはハードディスクドライブの取り付けに要するコストを削減することができる。
【００１６】
上記構成において、前記リヤパネルのフック部は前記リヤパネルと一体に形成されているものであってもよい。
【００１７】
上記構成において、前記防振クッションの前記第１防振部材はたる型を有しており、前記第２防振部材も前記第１防振部材同様たる型を有しているものであってもよく、さらに、前記第１防振部材及び前記第２防振部材は形状及び大きさが等しいものであってもよい。
【００１８】
本発明にかかるハードディスクユニットの固定構造を利用したものとして次のものを挙げることができる。すなわち、シャーシと、前記シャーシの背面側に立設された金属板を切り曲げて形成されたリヤパネルと、前記シャーシを覆うカバー部材と、前記シャーシに取り付けられるハードディスクユニットと、前記シャーシに取り付けられＤＶＤメディアの記録及び再生を行うＤＶＤレコーダユニットとを有するハードディスク内蔵ＤＶＤレコーダであって、前記ハードディスクユニットは、ハードディスクドライブと、前記ハードディスクドライブの底面にボルトにて固定される第１支持部材と、前記シャーシに取り付けられ前記第１支持部材を支持する第２支持部材と、前記第１支持部材と前記第２支持部材とを連結するボルトが貫通しているとともに、前記第１支持部材から前記第２支持部材への振動の伝達を抑制する防振クッションとを有しており、前記防振クッションは樽型の第１防振部材と、前記第１防振部材と同一形状を有しているとともに、前記第１防振部材と軸方向に並んで連結する第２防振部材とを有しており、前記第１防振部材は前記ボルトの頭と前記第１支持部材の間に、前記第２防振部材は前記第１支持部材と前記第２支持部材との間に配置されており、前記リヤパネルには、該リヤパネルの一部を切り起こすことで形成されたフック部が形成されており、前記フック部は前記第１防振部材と前記第１支持部材の間に配置されることを特徴とするハードディスク内蔵ＤＶＤレコーダ。
【発明の効果】
【００１９】
本発明によると、特殊な部材を設けることなく、振動するハードディスクを安定して接地することができるとともに、別の部材にハードディスクの振動が伝播するのを抑制することができるハードディスクの固定構造及びこれを備えたハードディスク内蔵ＤＶＤレコーダを提供することができる。
【発明を実施するための最良の形態】
【００２０】
以下に本発明の実施形態を図面を参照して説明する。図１は本発明にかかるハードディスク内蔵ＤＶＤレコーダの一例の分解斜視図であり、図２は図１に示すハードディスク内蔵ＤＶＤレコーダの取り付け構造の斜視図であり、図３は図２に示すハードディスク取付構造の側断面図である。図１に示すハードディスク内蔵ＤＶＤレコーダＡは、少なくともシャーシＣｈと、リヤパネル２と、上面カバーＣｖと、基板Ｂｐと、ハードディスクユニット１と、ＤＶＤレコーダユニットＤｒと、フロントパネルＦｐとを備えている。
【００２１】
シャーシＣｈの上面には基板Ｂｐが配置されている。基板ＢｐはシャーシＣｈに対して絶縁された状態で配置されている。基板Ｂｐの上部にはメモリ、マイコン等の電子部品（図示省略）が実装されている。また、ＤＶＤレコーダユニットＤｒはシャーシＣｈに固定されている。ハードディスクユニット１とＤＶＤレコーダユニットＤｒは基板Ｂｐに実装されたコネクタ（図示省略）と平形ケーブル（図示省略）等の変形自在なケーブルを介して接続されている。
【００２２】
リヤパネル２は金属板を切り曲げて形成されており、シャーシＣｈの背面より直立するように配置されている。ハードディスクユニット１はシャーシＣｈに取り付けられている。また、ハードディスクユニット１はリヤパネルと接触するように取り付けられており、ハードディスクユニット１はリヤパネル２と接触することで、接地されている。
【００２３】
ハードディスクユニット１、ＤＶＤレコーダユニットＤｒ及び電子部品を配置した状態で、シャーシＣｈの上部より上面カバーＣｖを取り付ける。上面カバーＣｖはシャーシＣｈの上部に係合し、ボルトＢｔを利用して、側面をシャーシＣｈに固定される。
【００２４】
上面カバーＣｖがシャーシＣｈに固定された後に、シャーシＣｈのフロント側よりフロントパネルＦｐが係合される。フロントパネルｆｐには開閉可能なドアＦｐ１が形成されており、ドアＦｐ１を通じて、ＤＶＤレコーダユニットＤｒに備えられる光ディスクを配置するためのディスクトレイ（図示省略）が出入りすることで光ディスクを挿入（ローディング）又は排出（アンローディング）する。
【００２５】
図２に示すように、ハードディスクユニット１は、ハードディスクドライブ１１と、ハードディスクドライブ１１の底面に固定された第１支持部材１２と、第１支持部材１２を支持し、リヤパネル２と接触するように、シャーシＣｈに固定された第２支持部材１３と、ハードディスクドライブ１１の振動が他所に伝播するのを防ぐための防振クッション１４とが備えられている。
【００２６】
図３に示すように、ハードディスクドライブ１１には雌ねじ孔１１１が備えられており、第１ボルトＢｔ１を用いて第１支持部材１２と共締めされている。ハードディスクドライブ１には、内部に配置された金属製のディスクの回転速度やピックアップの制御を行ったり、記録又は読み出したデータのやり取りを行ったりするための制御部が備えられており、制御部は金属製の外装部を利用して接地される。金属製の外装部と第１支持部材１２とは接触している。第１支持部材１２も矩形状を有しており、第１ボルトＢｔ１が貫通するねじ孔１２１と、四隅に形成された貫通孔１２２とを備えている。
【００２７】
図２、図３に示すように、第２支持部材１３は、本体部１３１と、本体部１３１より下方に延びシャーシＣｈと固定された脚部１３２と、リヤパネル２と当接された当接部１３３とを有している。本体部１３１は矩形状を有しており、四隅に第２ボルトＢｔ２が貫通された貫通孔１３４が形成されている。
【００２８】
ハードディスクドライブ１１が固定された第１支持部材１２は、第２ボルトＢｔ２を用いて連結されたものであり、第２ボルトＢｔ２は第１支持部材１２側から貫通され、第２支持部材の貫通孔１３４を貫通した先端部にはナットＮｔが螺合て留められている。ボルトＢｔ２には、防振クッション１４が取り付けられている。
【００２９】
図３に示すように、防振クッション１４は樽状の第１防振部材１４１及び第２防振部材１４２が軸方向に連結された形状を有しており、第１防振部材１４１は第１支持部材１２と第２ボルトＢｔ２の頭Ｂｔ２１の間に配置され、第２防振部材１４２は第１支持部材１３と第２支持部材１３との間に配置されるものである。
【００３０】
図２、図３に示す第１支持部材１２は、貫通孔１２２に防振クッション１４が挿通されているものであるが、それに限定されるものではなく、貫通孔１２２が第１支持部材１２の側方に開放された凹欠状に形成されているものであってもよい。この場合、防振クッション１４を貫通孔１２２に取り付けるときに取り付けやすく、それだけ組み立てが容易になる。
【００３１】
このように、防振クッション１４を配置することで、ハードディスクドライブ１１で発生し、第１支持部材１２に伝播した振動が、第２ボルトＢｔ２を介して及び（又は）直接第２支持部材１３に伝達されるのを抑制することができる。これにより、第２支持部材１３が固定されている又は当接しているシャーシＣｈやリヤパネル２に振動が伝播するのを抑制することができ、振動によるびびり音の発生や、部材（たとえば、ケーブルやコネクタ）の破損を抑制することが可能である。
【００３２】
図３に示すように、リヤパネル２には切り起こすことで形成されたフック部２１が備えられている。フック部２１は、先端が二股に割れた接続部２１１を備えている（図２参照）。フック部２１は、第２支持部材１３の当接部１３３に形成された開口部１３５を貫通するように形成されている。開口部１３５を貫通したフック部２１は、接続部２１１が第１支持部材１２の貫通孔１２２と重なるように配置されている。接続部２１１は第１支持部材１２と第１防振部材１４１の間に配置され、接続部２１１の先端の二股に割れた部分の間を第２ボルトＢｔ２が貫通している。接続部２１１は第１防振部材１４１に押されることで、第１支持部材１２と安定的に接触することができる。
【００３３】
また、接続部２１１は第１支持部材１２と強固に固定されていないが、第１防振部材１４１にて安定的に押されることで第１支持部材１２と接触しているので、ハードディスクドライブ１１にて発生し第１支持部材１２に伝播された振動の接続部２１１への伝達は抑制される。さらに、接続部２１１は第１支持部材１２を介してハードディスクドライブ１１の金属製の外装と電気的に接続されるので、ハードディスクドライブ１１の接地を安定して行うことができる。
【００３４】
これにより、従来用いられてきた第２支持部材１３と第１支持部材１２とを電気的に接続する弾性変形可能な金属製のアース部材を取り付けなくてもハードディスクドライブ１１を安定して接地することができ、それだけコストを削減することができる。また、ハードディスクドライブ１１は重量が大きいので、アース部材は負担も大きく、破損しやすい部品であったが、このアース部材自体を省くことができるので、前記アース部材の破損、変形等による不具合の発生回数を低減することが可能である。
【００３５】
上記実施例では、フック部２１をリヤパネル２と一体に形成するものを例に説明しているが、別体で製造しておき、あとから取り付けるものであってもかまわない。また、フック部２１の接続部２１１は、第２防振部材１４２と第１支持部材１２との間に配置されるものであってもよい。
【００３６】
防振クッション１４は大きさ及び形状が同じたる型の第１防振部材及び第２防振部材を軸方向に連結して形成したものを採用しているが、それに限定されるものではなく、大きさの異なるもの、形状の異なるもの、大きさ及び形状両方異なるものいずれであってもよい。さらには、第１防振部材と第２防振部材が分割可能であるものであってもよい。ハードディスクドライブ１１の振動が他所に伝達されるのを効率よく防ぐことができるもので、第１支持部材１２とフック部２１とを確実に接続させることができる形状のものを広く採用することが可能である。また、防振クッション１４の材質については特に限定するものではないが、振動を収束させることのできる材質、例えば、ゴム等を挙げることが可能である。
【００３７】
以上、発明の実施形態を具体的に説明したが、本発明は上記実施形態に限定するものではなく、その要旨を逸脱しない範囲で種々変更可能である。
【産業上の利用可能性】
【００３８】
本発明は、ハードディスクドライブを備えた記録再生装置に広く適用することが可能である。
【図面の簡単な説明】
【００３９】
【図１】本発明にかかるハードディスク内蔵ＤＶＤレコーダの一例の分解斜視図である。
【図２】図１に示すハードディスク内蔵ＤＶＤレコーダの取り付け構造の斜視図である。
【図３】図２に示すハードディスク取付構造の側断面図である。
【図４】従来の光ディスク装置に備えられているハードディスクの取り付け構造の斜視図である。
【符号の説明】
【００４０】
Ａ  ハードディスク内蔵ＤＶＤレコーダ
Ｃｈ  シャーシ
１  ハードディスクユニット
１１  ハードディスクドライブ
１２  第１支持部材
１３  第２支持部材
１４  防振クッション
２  リヤパネル
Ｃｖ  上面カバー
Ｂｐ  基板
Ｄｒ  ＤＶＤレコーダユニット
Ｆｐ  フロントパネル
【図１】
2008152895.tif 000003
【図２】
2008152895.tif 000004
【図３】
2008152895.tif 000005
【図４】
2008152895.tif 000006